(57)【要約】【課題】  手入力で接続情報を入力するなどの煩雑な作業を行わなくても、公衆通信網を介さない要約情報の取得先の登録を行うことができる移動体通信端末を提供する。【解決手段】  撮像手段で撮像した画像に、要約情報を提供する提供元に接続するための接続情報が含まれている場合、その画像に含まれる接続情報を、要約情報を取得する取得先として記憶手段に記憶する。これにより、手入力で接続情報を入力することなく、公衆通信網を介さない要約情報の取得先の登録を行うことができる。【選択図】図７
2007299323.tif 000002
【特許請求の範囲】
【請求項１】
コンテンツの要約情報の提供元に接続するための接続情報を予め登録し、所定のタイミングで前記接続情報に基づき前記提供元に接続することにより前記要約情報を取得する移動体通信端末において、
情報を記憶する記憶手段と、
画像を撮像する撮像手段と、
前記撮像手段で撮像した画像を解析する画像解析手段と、
前記画像解析手段の解析の結果、前記画像に前記要約情報を提供する提供元に接続するための接続情報が含まれている場合、その画像に含まれる接続情報を、前記要約情報を取得する取得先として前記記憶手段に記憶するように制御する制御手段とを備えたことを特徴とする移動体通信端末。
【請求項２】
請求項１に記載の移動体通信端末において、
前記撮像手段が撮像する画像がコード画像であることを特徴とする移動体通信端末。
【請求項３】
コンテンツの要約情報の提供元に接続するための接続情報を予め登録し、所定のタイミングで前記接続情報に基づき前記提供元に接続することにより前記要約情報を取得する移動体通信端末において、
情報を記憶する記憶手段と、
情報送信装置との間で近距離用非公衆通信を行う外部通信手段と、
前記情報送信装置から前記近距離用非公衆通信を介して受信したデータに前記要約情報を提供する提供元に接続するための接続情報が含まれている場合、その受信したデータに含まれている接続情報を、前記要約情報を取得する取得先として前記記憶手段に記憶するように制御する制御手段とを備えたことを特徴とする移動体通信端末。
【請求項４】
コンテンツの要約情報の提供元に接続するための接続情報を予め登録し、所定のタイミングで前記接続情報に基づき前記提供元に接続することにより前記要約情報を取得する移動体通信端末において、
情報を記憶する記憶手段と、
外部記憶媒体着脱部に装着された外部記憶媒体から情報を読み取る読取手段と、
前記外部記憶媒体から読み出した情報に、前記要約情報を提供する提供元に接続するための接続情報が含まれている場合、その読み出した情報に含まれる接続情報を、前記要約情報を取得する取得先として前記記憶手段に記憶するように制御する制御手段とを備えたことを特徴とする移動体通信端末。
【請求項５】
請求項１から請求項４のいずれかに記載の移動体通信端末において、
前記画像から取得する情報、前記情報送信装置から取得する情報または前記外部記憶媒体から取得する情報は、前記接続情報を複数含むリストであることを特徴とする移動体通信端末。
【請求項６】
請求項１から請求項５のいずれかに記載の移動体通信端末において、
前記要約情報は、ＷＥＢコンテンツの見出し情報、要約情報および更新情報であることを特徴とする移動体通信端末。
【発明の詳細な説明】
【技術分野】
【０００１】
本発明は、コンテンツの要約情報の提供元に接続するための接続情報を予め登録し、所定のタイミングで前記接続情報に基づき前記提供元に接続することにより前記要約情報を取得する移動体通信端末に関するものである。
【背景技術】
【０００２】
非特許文献１には、ＷＥＢコンテンツの要約情報を移動体通信端末たる携帯電話機で受信して表示するソフトウェアが記載されている。このＷＥＢコンテンツの要約情報のデータは、携帯電話機からの取得要求に応じてＲＳＳと呼ばれるフォーマットで送信される。このＲＳＳは、ＷＥＢサーバ（ＷＥＢサイト）で提供されるＷＥＢコンテンツの見出し、要約、更新情報等のメタデータを構造化して記述するＸＭＬ（Extensible Markup Language）ベースのフォーマットである。ＲＳＳはいくつかのバージョン（RSS0.9X, RSS1.0, RSS2.0, Atom）が存在し、バージョンごとに「Rich Site Summary」、「Really Simple Syndication」、「RDF Site Summary」という正式名称で呼ばれている。このＲＳＳフォーマットで記述された文書は「ＲＳＳフィード」と呼ばれ、上記ＲＳＳフィードを受信して表示するソフトウェアは「ＲＳＳリーダ」と呼ばれている。ＷＥＢコンテンツが更新されると、携帯電話機からの取得要求に応じて、更新後のＷＥＢコンテンツの要約情報を反映したＲＳＳフィードが携帯電話機に送信される。
【０００３】
【非特許文献１】「携帯ポータルアプリ」、［ｏｎｌｉｎｅ］、QUEST-COM株式会社、［２００６年３月３日検索］、インターネット（ＵＲＬ：http://rsseye.qusco.cc/）
【発明の開示】
【発明が解決しようとする課題】
【０００４】
利用者は、通信ネットワークとしての公衆通信網を介して、通信ネットワーク上のＷＥＢサイトをネットサーフして、気に入ったＷＥＢコンテンツを見つけたら、そのＷＥＢコンテンツの更新された旨及び更新後のＷＥＢコンテンツの要約情報を得るために、このＷＥＢコンテンツのＲＳＳフィードの提供元の登録を行う。この取得先の登録は、次のようにして行われる。すなわち、そのＷＥＢコンテンツのＲＳＳフィードの提供元に接続するための接続情報（ＵＲＩ：Uniform Resource Identifier）を公衆通信網を介してＷＥＢサイトからダウンロードし、このダウンロードした接続情報を取得先として記憶手段に記憶することにより、取得先の登録が行われる。ＲＳＳリーダは、登録された取得先に基づき、ＲＳＳフィードを定期的に取得して記憶手段に記憶する。また、上記公衆通信網を介さずに、雑誌など携帯電話機の周囲の情報媒体から、ＲＳＳフィードの登録を行う場合もある。この場合、雑誌等の情報媒体に記載されているＲＳＳフィード提供元の接続情報（ＵＲＩ）を手入力して、この手入力した接続情報を取得先として記憶手段に記憶することで、ＲＳＳフィードの取得先の登録が行われる。
【０００５】
このように、公衆通信網を介さずに携帯電話機の周囲にある雑誌などの情報媒体からＲＳＳフィードの取得先の登録を行うためには、手入力でＲＳＳフィード提供元の接続情報を入力する必要がある。このため、ＲＳＳフィード取得先を登録するための利用者の操作が多くなり、取得先登録時の作業が煩わしいという問題があった。
【０００６】
本発明は、上記問題に鑑みなされたものであり、その目的とするところは、手入力で接続情報を入力するなどの煩雑な作業を行わなくても、公衆通信網を介さない要約情報の取得先の登録を行うことができる移動体通信端末を提供することである。
【課題を解決するための手段】
【０００７】
上記目的を達成するために、請求項１の発明は、コンテンツの要約情報の提供元に接続するための接続情報を予め登録し、所定のタイミングで前記接続情報に基づき前記提供元に接続することにより前記要約情報を取得する移動体通信端末において、情報を記憶する記憶手段と、画像を撮像する撮像手段と、前記撮像手段で撮像した画像を解析する画像解析手段と、前記画像解析手段の解析の結果、前記画像に前記要約情報を提供する提供元に接続するための接続情報が含まれている場合、その画像に含まれる接続情報を、前記要約情報を取得する取得先として前記記憶手段に記憶するように制御する制御手段とを備えたことを特徴とするものである。
また、請求項２の発明は、請求項１に記載の移動体通信端末において、前記撮像手段が撮像する画像がコード画像であることを特徴とするものである。
また、請求項３の発明は、コンテンツの要約情報の提供元に接続するための接続情報を予め登録し、所定のタイミングで前記接続情報に基づき前記提供元に接続することにより前記要約情報を取得する移動体通信端末において、情報を記憶する記憶手段と、情報送信装置との間で近距離用非公衆通信を行う外部通信手段と、前記情報送信装置から前記近距離用非公衆通信を介して受信したデータに前記要約情報を提供する提供元に接続するための接続情報が含まれている場合、その受信したデータに含まれている接続情報を、前記要約情報を取得する取得先として前記記憶手段に記憶するように制御する制御手段とを備えたことを特徴とするものである。
また、請求項４の発明は、コンテンツの要約情報の提供元に接続するための接続情報を予め登録し、所定のタイミングで前記接続情報に基づき前記提供元に接続することにより前記要約情報を取得する移動体通信端末において、情報を記憶する記憶手段と、外部記憶媒体着脱部に装着された外部記憶媒体から情報を読み取る読取手段と、前記外部記憶媒体から読み出した情報に、前記要約情報を提供する提供元に接続するための接続情報が含まれている場合、その読み出した情報に含まれる接続情報を、前記要約情報を取得する取得先として前記記憶手段に記憶するように制御する制御手段とを備えたことを特徴とするものである。
なお、請求項１から請求項４のいずれかに記載の移動体通信端末において、前記制御手段は、前記接続情報の登録に続けて、前記接続情報に基づいて前記提供元に前記要約情報を要求する取得要求を送信するように制御してもよい。
また、請求項５の発明は、請求項１から請求項４のいずれかに記載の移動体通信端末において、前記画像から取得する情報、前記情報送信装置から取得する情報または前記記憶媒体から取得する情報は、前記接続情報を複数含むリストであることを特徴とするものである。
また、請求項６の発明は、請求項１から請求項５のいずれかに記載の移動体通信端末において、前記要約情報は、ＷＥＢコンテンツの見出し情報、要約情報および更新情報であることを特徴とするものである。
【０００８】
なお、上記「コード画像」としては、ＪＡＮ（Japanese Article Number）コード、ＩＴＦコード等の１次元コードの画像のほか、ＱＲ（Quick Response）コード（登録商標）、マイクロＱＲコード（登録商標）、ＰＤＦ４１７コード等の２次元コードの画像も含まれる。また、上記「近距離用非公衆通信」としては、例えば１６芯のインターフェースケーブル等を用いて行う有線の非公衆通信や、赤外線、Bluetooth（登録商標）やＩＥＥＥ８０２．１１等で規格された無線の非公衆通信が含まれる。また、上記「接続情報のリスト」としては、ＯＰＭＬ（Outline Processor Markup Language）のフォーマットで記述されたものが含まれる。
【発明の効果】
【０００９】
本願発明の一態様によれば、撮像手段で撮像した画像に要約情報の提供元への接続情報が含まれている場合に、その画像に含まれる接続情報を、要約情報を取得する取得先として記憶手段に記憶することで、要約情報の取得先の登録が行われる。これにより、手入力で要約情報の接続情報を入力することなく、移動体通信端末の近くにある上記画像を含む情報媒体から要約情報の取得先を登録することができ、要約情報を登録するために利用者が行う操作を低減させることができる。従って、手入力で接続情報を入力するなどの煩雑な作業を行わなくても、公衆通信網を介さない要約情報の取得先の登録を行うことができる。
【００１０】
また、本願発明の他の態様によれば、近距離非公衆通信を介して情報送信装置から受信したデータに要約情報の提供元への接続情報が含まれている場合に、その受信したデータに含まれる接続情報を、要約情報を取得する取得先として記憶手段に記憶することで、要約情報の取得先の登録が行われる。これにより、手入力で要約情報の接続情報を入力することなく、移動体通信端末の近くにある上記情報送信装置から要約情報を取得するための取得先を登録することができ、要約情報を登録するために利用者が行う操作を低減させることができる。従って、手入力で接続情報を入力するなどの煩雑な作業を行わなくても、公衆通信網を介さない要約情報の取得先の登録を行うことができる。また、非公衆通信で取得先を得ることができるので、通信費をかけずに、取得先を得ることができる。
【００１１】
また、本願発明の更に他の態様によれば、外部記憶媒体から読み出した情報に要約情報の提供元への接続情報が含まれている場合に、その読み出された接続情報を、要約情報を取得するための取得先として記憶手段に記憶することで、要約情報の取得先の登録が行われる。これにより、手入力で要約情報の接続情報を入力することなく、移動体通信端末に装着した外部記憶媒体から要約情報を取得するための取得先を登録することができ、要約情報を登録するために利用者が行う操作を低減させることができる。従って、手入力で接続情報を入力するなどの煩雑な作業を行わなくても、公衆通信網を介さない要約情報の取得先の登録を行うことができる。
【発明を実施するための最良の形態】
【００１２】
以下、図面を参照して本発明の実施の形態について説明する。
図１は本実施形態に係る通信システム全体の概略構成の一例を示す説明図である。この通信システムは、移動体通信端末としての携帯電話機１０と、移動体通信事業者によって管理されている通信ネットワークとしての携帯電話通信網２０とを用いて構成されている。携帯電話通信網２０は、基地局２０１や図示しない交換機（回線交換機、パケット交換機）等を備え、図示しないゲートウェイサーバを介してインターネット３０等の他の通信ネットワークに接続されている。また、携帯電話通信網２０及びインターネット３０には、ＷＥＢコンテンツを提供するＷＥＢサーバ４１が接続されている。ＷＥＢサーバ４１は、各種ＷＥＢコンテンツのほか、そのＷＥＢコンテンツの要約情報や更新情報も提供する。また、ＷＥＢサーバ４１は携帯電話通信網２０側に設けてもよい。これらのサーバから携帯電話機１０にコンテンツをダウンロードするときには、ネットワークの各階層において所定の通信プロトコルが用いられる。例えば、ＷＥＢサーバ４１からＷＥＢページをダウンロードするときのアプリケーション層の通信プロトコルとしては、ＨＴＴＰ（Hyper Text Transfer Protocol）が用いられる。
【００１３】
図２は、上記ＷＥＢサーバ４１のハードウェア構成の一例を示すブロック図である。このＷＥＢサーバ４１は、システムバス４００、ＣＰＵ４０１、ＲＡＭ４０２、ＲＯＭ４０３、外部記憶装置４０４、入力装置４０５、出力装置４０６、及びインターネット用通信装置４０７を備えている。上記ＲＡＭ４０２やＲＯＭ４０３等は内部記憶装置として用いられる。上記外部記憶装置は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記通信装置４０７は、所定の通信プロトコルにより、携帯電話通信網２０を介して他の携帯電話機や他のサーバと通信したり、インターネット３０上の各種クライアント端末や他のサーバと通信したりするための装置である。
【００１４】
上記ＣＰＵ４０１やＲＡＭ４０２等の構成要素はお互いに、システムバス４００を介して、データやプログラムの命令等のやり取りを行っている。このＷＥＢサーバ４１を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１５】
また、上記ＷＥＢサーバ４１はそれぞれ一部又は全体を専用の制御装置として構成してもいいし、一部又は全体を汎用のコンピュータシステムを用いて構成してもよい。また、ＷＥＢサーバ４１はそれぞれ、１台のコンピュータで構成してもいいし、複数の機能をそれぞれ受け持つ複数台のコンピュータをネットワークで結んで構成してもよい。
【００１６】
図３は、ＷＥＢサーバ４１の構成例を示す機能ブロック図である。ＷＥＢサーバ４１は、記憶手段４１５と受信手段４１６と送信手段４１７とを備えている。このＷＥＢサーバ４１は、ＣＰＵ等からなるハードウェア上で所定のプログラムを実行することにより、上記各手段の機能を実現している。上記記憶手段４１５は、上記内部記憶装置や外部記憶装置で構成され、携帯電話機１０で受信可能な各種ＷＥＢコンテンツのデータや、そのＷＥＢコンテンツの要約情報や更新情報のデータを記憶している。上記受信手段４１６は、上記ＣＰＵ４０１や通信装置４０７等で構成され、上記記憶手段４１５に記憶されている複数種類のＷＥＢコンテンツやそのＷＥＢコンテンツの要約情報を要求する取得要求を携帯電話機１０から受信する。上記送信手段４１７は、上記ＣＰＵ４０１や通信装置４０７等で構成され、上記取得要求に基づいて選択されたＷＥＢコンテンツのデータや、そのＷＥＢコンテンツの要約情報のデータを移動体通信端末１０に送信する。
【００１７】
上記ＷＥＢコンテンツの要約情報のデータは、ＲＳＳのフォーマットで携帯電話機へ送信されており、携帯電話機は、このＲＳＳのフォーマットで記述された文書（ＲＳＳフィード）を受信して表示するソフトウェアであるＲＳＳリーダを備えている。ＷＥＢコンテンツが更新されると、携帯電話機からの取得要求に応じて、その更新された旨及び更新後のＷＥＢコンテンツの要約情報をＲＳＳフィードとして携帯電話機１０へ送信する。ＲＳＳフィードの一例としては、一般ニュース、音楽情報、ブログ、天気予報、ＣＤや映画などの売り上げランキング等のコンテンツの要約や更新情報が挙げられる。
【００１８】
図４は携帯電話機１０の一構成例を示す外観図であり、図５は、その携帯電話機１０のハードウェア構成の一例を示す概略構成図である。携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５、携帯電話通信網用通信装置１０６、撮像手段としての撮像デバイス１９を備えている。また、オプションのデバイスとして外部接続用インターフェース装置１０７やメモリーカードドライブ１０８を備えてもよい。ＣＰＵ１０１やＲＡＭ１０２等の構成要素は、システムバス１００を介して、互いに各種データやプログラムの命令等のやり取りを行っている。
【００１９】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＲＳＳリーダ、ＷＥＢブラウザ、メーラー、外部装置とのデータ送受信、アドレス帳管理、スケジューラ、メモ帳等がある。
【００２０】
また、上記ＣＰＵ１０１は、上記記憶装置から所定のプログラムを読み込んで実行することにより、ネイティブ側の電話機プラットフォーム上でアプリケーションを実行するためのアプリケーション実行環境を構築することができる。そして、このアプリケーション実行環境上で、携帯電話機１０にプリインストールされているアプリケーションや、利用者がダウンロードして登録したアプリケーション等の各種アプリケーションを実行することができる。
【００２１】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションの選択、起動及び停止を行ったりすることができる。また、利用者は上記操作部を操作することにより、上記ＷＥＢサーバ４１から、アプリケーションプログラム等のコンテンツをダウンロードして登録することができる。
【００２２】
上記出力装置１０５は、表示手段である液晶ディスプレイ（ＬＣＤ）１７、音出力手段であるスピーカ１８等から構成されている。上記液晶ディスプレイ（ＬＣＤ）１７やスピーカ１８等からなる出力装置等で構成されている出力部は、携帯電話通信網２０を介して受信したＷＥＢページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２３】
上記携帯電話通信網用通信装置１０６は、変復調器、シンセサイザ、周波数変換器，高周波増幅器などにより構成され、携帯電話通信網２０を介して他の携帯電話機や上記ＷＥＢサーバ４１等と通信するときに用いられる。この携帯電話通信網用通信装置１０６は、携帯電話通信網２０を介して他の携帯電話機とメールのやり取りを行ったり、携帯電話通信網２０からゲートウェイサーバを介して、インターネット等の外部の通信ネットワークに接続し、インターネット上での電子メールのやり取り等を行ったりするための通信手段として用いられる。更に、この携帯電話通信網用通信装置１０６は、携帯電話通信網２０を介して、ＷＥＢサーバ４１が提供する各種コンテンツをダウンロードしたり、現在位置の位置情報を含む配信情報を受信したりする情報受信手段としても用いられる。
【００２４】
上記撮像デバイス１９としては、ＣＣＤ（Charge Coupled Device）カメラやＣＭＯＳカメラを用いることができる。また、使用環境に応じて、信号処理機能を備えた高速撮像が可能な人工網膜カメラや、赤外線やガンマ線等の可視光線以外の波長領域に感度を有するカメラを用いてもよい。この撮像デバイス１９は、人物や風景等の画像を撮影したり、接写機能により１次元や２次元のコード画像を撮影したりするときに用いられる。
【００２５】
また、この携帯電話機１０は、外部接続用インターフェース装置１０７をオプションのデバイスとして設けてもよい。この通信には、例えば１６芯のインターフェースケーブル等を用いて行う有線の非公衆通信や、赤外線、Bluetooth（登録商標）やＩＥＥＥ８０２．１１等で規格された無線の非公衆通信が含まれる。
【００２６】
また、本携帯電話機１０は、外部記憶媒体としてのメモリーカード３２を着脱可能にするための外部記憶媒体着脱部としてのメモリーカードドライブ１０８をオプションのデバイスとして設けてもよい。
【００２７】
携帯電話機１０は、ＲＳＳリーダのほかに、例えば、メディアコンテンツの再生を行うアプリケーションもＷＥＢコンテンツの要約情報であるＲＳＳ（RDF Site Summary）フィードを表示する機能を備えている。また、サービス参加者が互いに友人を紹介しあって、新たな友人関係を広げることを目的に開設されたコミュニティサービス（ソーシャル・ネットワーク・サービス（ＳＮＳ））を利用するためのアプリケーションなどもＷＥＢコンテンツの要約情報であるＲＳＳフィードを表示する機能を備えている。メディアコンテンツの再生を行うアプリケーションは、音楽情報、ＣＤの売り上げランキング、着うたランキングなどのＲＳＳフィードが表示されるようになっている。また、上記コミュニティサービスを利用するためのアプリケーションは、友人のブログの更新情報などのＲＳＳフィードが表示されるようになっている。
【００２８】
次に、コード画像からＲＳＳフィードの取得情報を登録するときの制御について説明する。
図６は、コード画像からＲＳＳフィードを登録するときの携帯電話機１０の主要な機能を抽出して示した機能ブロック図である。この携帯電話機１０は、通信手段１１０と記憶手段１１１と表示制御手段１１２と表示手段１１３と画像データ解析手段１１４とを有する。
【００２９】
上記通信手段１１０は上記通信装置１０６等で構成され、ＨＴＴＰ等の所定の通信プロトコルを用いて携帯電話通信網２０を介した通信を行う。この通信手段１１０は、接続情報としてのＵＲＩ（Uniform Resource Identifier）に基づいて通信ネットワーク上のＷＥＢサーバ４１にアクセスし、そのＷＥＢサーバ４１から前述のＲＳＳフィードを取得する要約情報取得手段として用いられる。また、この要約情報取得手段は、所定の時間毎にＵＲＩに基づいて通信ネットワーク上のＷＥＢサーバ４１にアクセスし、そのサーバからＲＳＳフィードを自動的に取得できるようになっている。自動取得のタイミングは、装置内部のセキュアな時計に従い処理される。ここで、「セキュアな時計」とは、ユーザーが設定可能な時計とは異なり、通信ネットワーク（携帯電話通信網）と同期を取る絶対時間の時計である。
【００３０】
上記記憶手段１１１は上記ＲＡＭ１０２等の記憶装置により構成され前述のＲＳＳフィードとＲＳＳフィードを取得するための取得情報としてのＲＳＳフィード提供元に接続するための接続先情報とを記憶している。
【００３１】
上記表示制御手段１１２は上記ＣＰＵ１０１等で構成され、前述のＲＳＳフィードを記憶手段１１１から取得して表示するように制御する。また、ＲＳＳフィードが未読の場合に、待ちうけ画面などのピクト領域に、未読のＲＳＳフィードがある旨のピクト画像を表示するように制御する。
【００３２】
上記表示手段１１３は上記ディスプレイ等で構成され、ＲＳＳフィードの表示を行うアプリケーション（ＲＳＳリーダ）を起動したときに、通信ネットワーク上のＷＥＢサーバ４１から受信した前述のＲＳＳフィードを表示することができる。
【００３３】
撮像手段１１５は、上記撮像デバイス１９等で構成され、コード画像を撮像することができる。
【００３４】
上記画像データ解析手段１１４は、上述のシステムバス１００、ＣＰＵ１０１やＲＡＭ１０２等で構成され、コード画像のデータを解析するためのコード認識処理機能（認識エンジン）を有し、このコード認識処理機能を用いて、撮像デバイス１９で撮影したコード画像をデータ解析する。複数種類のコード認識処理機能を有し、それらの中から選択された一つのコード認識処理機能（認識エンジン）を用いてコード画像をデータ解析するように構成してもよい。本実施形態では、ＪＡＮコード及びＱＲコード（登録商標）それぞれに対応した２種類のコード認識処理機能（認識エンジン）を有し、これらを切り換えてコード画像のデータ解析を行っている。
特に、ＱＲコード（登録商標）は、数字の場合で７０００文字程度、漢字の場合で１８００文字程度の大容量の情報を符号化して含ませることができ、また誤り訂正機能を有し、多少の汚れや破損があっても情報を正確に読み取ることができるという長所を有している。
【００３５】
図７は、コード画像からＲＳＳフィードの取得先を登録するときの制御フローである。
利用者は、雑誌やポスターなどの情報媒体に記載された商品の情報などを定期的にＲＳＳフィードで受信したいと思った場合、雑誌やポスターなどの情報媒体に印刷されたコード画像を撮像手段１１５により撮像する（Ｓ１）。撮像手段１１５により撮像されたコード画像は、画像データ解析手段１１４で１次元コード／２次元コードを認識して、コード画像のデータ解析を行なう（Ｓ２）。解析の結果、コード画像のデータに接続情報（ＵＲＩ）がある場合は（Ｓ３のＹＥＳ）、その接続先のデータフォーマットがＲＳＳであるか否かを調べる（Ｓ４）。具体的に説明すると、接続先のデータフォーマットがＲＳＳの場合、その接続情報には、「ｒｄｆ」、「ｒｓｓ」等の識別子が記述されるので、接続情報から「ｒｄｆ」の識別子を調べて、接続先のデータフォーマットがＲＳＳであるか否かを調べる。調べた結果、接続先のデータフォーマットがＲＳＳである場合は（Ｓ４のＹＥＳ）、接続先がＲＳＳフィードを提供する提供元であるので、コード画像から得られた接続情報を、ＲＳＳフィードを取得する取得先として記憶手段１１１に保存する（Ｓ５）。これにより、ＲＳＳフィードを取得する取得先が、登録される。なお、上記ＲＳＳフィードと接続情報は、記憶手段１１１のＲＳＳフィードを閲覧するアプリケーションソフト（ＲＳＳリーダ）が参照可能な領域に保存される。
【００３６】
そして、この登録された取得先（コード画像から得られた接続情報）に基づきＲＳＳフィード提供元にアクセスして、ＲＳＳフィードを取得し、取得したＲＳＳフィードを記憶手段１１１に保存する。このＲＳＳフィードは、取得先を登録したら、続けて取得してもよいし、定期受信のタイミングで取得してもよい。
【００３７】
このように、本実施形態では、手入力でＲＳＳフィード提供元への接続情報を入力するなどの処理を行わなくても、雑誌などの携帯電話機の周囲の情報媒体から得た情報からＲＳＳフィードを取得する取得先の登録を行うことができる。これにより、ＲＳＳフィードを登録するための利用者の操作が低減され、ＲＳＳフィードの登録作業を容易に行うことができる。
【００３８】
また、コード画像を撮像することで、ＲＳＳフィードの登録を行うことができ、ＲＳＳフィードを登録するための利用者の操作が低減され、ＲＳＳフィードの登録作業を容易に行うことができる。
【００３９】
なお、上述においては、コード画像を撮像して得られた接続情報から、ＲＳＳフィードの取得先を登録しているが、取得形態はこれに限らない。例えば、雑誌などに印刷されている文字情報を撮像して、この撮像した文字情報からＲＳＳフィード提供元への接続情報があるか否かを判断してもよい。この場合は、上述の画像データ解析手段１１４で、撮像した文字情報を認識する。そして、この画像データ解析手段１１４で認識した文字情報にＲＳＳフィード提供元への接続情報があるか否かを判断する。
【００４０】
次に、本発明の他の実施形態について説明する。この実施形態では、携帯電話機の近くにある情報送信装置から受けた情報に基づいてＲＳＳフィードの取得先を登録するものである。
図８は、本実施形態の携帯帯電話機１０の主要な機能を抽出して示した機能ブロック図である。この機能ブロック図は、携帯電話機の周囲から情報を取得する取得手段が、外部接続手段１１６となっている以外は、図６の機能ブロック図と同じである。情報送信装置としては、パーソナルコンピュータ等のコンピュータ装置、携帯電話機等の移動体通信端末などが挙げられる。
【００４１】
上記外部接続手段１１６は、外部接続用インターフェース装置１０７等により構成され、上記携帯電話機と上記情報送信装置との間で近距離用非公衆通信を行う。上記携帯電話機と上記情報送信装置との間でデータを送受信するための非公衆通信は、１６芯のインターフェースケーブル等を使用した有線の非公衆通信でもいいし、近距離用の無線通信や、赤外線を用いた非公衆通信であってもよい。
【００４２】
図９は、情報送信装置と通信を行ってＲＳＳフィードの取得情報を登録するときの制御フローである。
まず、利用者の携帯電話機を外部通信モードにして、情報送信装置との間で非公衆通信可能な状態にする（Ｓ１１）。情報送信装置との間の通信が有線の非公衆通信の場合は、情報送信装置と１６芯のインターフェースケーブルを用いて接続を行って、外部通信可能な状態にする。また、情報送信装置との間の通信が近距離用の無線通信や、赤外線を用いた非公衆通信である場合は、携帯電話機を情報送信装置に対して信号が発信できる状態にする。そして、利用者の携帯電話機が、情報送信装置との間で非公衆通信可能な状態となったら（Ｓ１１のＹＥＳ）、情報送信装置へ情報取得要求を送信する（Ｓ１２）。
【００４３】
利用者の携帯電話機が、情報送信装置から情報を受信したら（Ｓ１３）、受信した情報に接続情報（ＵＲＩ）が含まれ（Ｓ１４）、接続先のデータフォーマットがＲＳＳであることを示す識別子「ｒｄｆ」、「ｒｓｓ」等が接続情報にあるか否かを調べる（Ｓ１５）。
【００４４】
受信した情報にＲＳＳフィードの接続情報を含んでいる場合は（Ｓ１４のＹＥＳ、Ｓ１５のＹＥＳ）、このＲＳＳフィード提供元への接続情報をＲＳＳフィードを取得する取得先として記憶手段１１１に保存する（Ｓ１６）。これにより、ＲＳＳフィードの取得先が登録される。そして、続けてまたは所定のタイミングで、情報送信装置から受信したデータから登録した取得先に基づいて、ＲＳＳフィード提供元にアクセスし、ＲＳＳフィードを取得して、取得したＲＳＳフィードを記憶手段１１１に保存する。
【００４５】
このように、情報送信装置と非公衆通信で通信を行って、ＲＳＳフィード提供元への接続情報を得ることで、ＲＳＳフィードを取得する取得先を手入力して登録する必要がなくなり、ＲＳＳフィードを取得する取得先の登録作業を容易におこなうことができる。また、非公衆通信でＲＳＳフィードを取得する取得先を得ることができるので、通信費をかけずに、登録したいＲＳＳフィードを取得する取得先を得ることができる。
【００４６】
次に、本発明の更に他の実施形態について説明する。この実施形態では、携帯電話機に対して着脱可能な外部記憶媒体であるメモリーカード３２に記憶されている情報からＲＳＳフィードの取得先を登録するものである。
図１０は、本実施形態の携帯電話機１０の主要な機能を抽出して示した機能ブロック図である。図１０に示すように、この機能ブロック図は、携帯電話機１０の周囲から情報を取得する取得手段が、読取手段１１７となっている以外は、図６、図８の機能ブロック図と同じである。
【００４７】
上記読取手段１１７は、メモリーカード３２の電極端子に接触する端子を介してデータ送受信するインターフェース部を有している。
【００４８】
図１１は、メモリーカード３２から、ＲＳＳフィードの取得情報を登録するときの制御フローである。利用者の携帯電話機のメモリーカードドライブ１０８にメモリーカード３２が装着されたら（Ｓ２１のＹＥＳ）、読取手段１１７は、メモリーカード３２からデータを取得する（Ｓ２２）。次に、読取手段１１７は、接続情報（ＵＲＩ）が含まれ（Ｓ２３）、接続先のデータフォーマットがＲＳＳであることを示す識別子「ｒｄｆ」、「ｒｓｓ」等があるか否かを調べる（Ｓ２４）。受信した情報にＲＳＳフィードの接続情報を含んでいる場合は（Ｓ２３のＹＥＳ、Ｓ２４のＹＥＳ）、このＲＳＳフィード提供元への接続情報を、ＲＳＳフィードを取得する取得先として記憶手段１１１に保存して（Ｓ２５）、取得先の登録を行う。そして、続けてまたは所定のタイミングでメモリーカード３２のデータから登録した取得先に基づいて、ＲＳＳフィード提供元にアクセスして、ＲＳＳフィードを取得し、取得したＲＳＳフィードを記憶手段１１１に保存する。
【００４９】
これにより、手入力でＲＳＳフィード提供元への接続先情報を入力しなくてもＲＳＳフィードの接続情報を取得して、ＲＳＳフィードを取得する取得先として登録することができる。これにより、ＲＳＳフィードを取得する取得先の登録時の操作が軽減され、容易にＲＳＳフィードの取得先を登録することができる。
【００５０】
また、上記携帯電話機周辺の画像データ（コード画像）や、上記情報送信装置及びメモリーカード等から取得する情報が、ＲＳＳフィード提供元への接続情報がリスト化されたデータでもよい。このＲＳＳフィード提供元への接続情報がリスト化されたデータとしては、ＯＰＭＬ（Outline Processor Markup Language）フォーマットで記載されたものが挙げられる。ＯＰＭＬフォーマットは、アウトライン・ソフトウェア（例えば、ウィンドウズ（登録商標）のエクスプローラのようなツリー構造で整理された文書やそれを扱うソフト）でアクセスできるインターネット上のサービスとアウトライン・ソフトウェアとの間で情報をやり取りする方法を提供するもので、ＸＭＬ（Extensible Markup Language）ベースのフォーマットである。
【００５１】
携帯電話機のＲＳＳリーダは、登録しているＲＳＳフィードを取得する取得先のリストを、ＯＰＭＬフォーマットで出力可能に構成してもよい。
携帯電話機を上述の情報送信装置として用いる場合、取得要求者の携帯電話機から情報取得要求を受信したら、携帯電話機内に保存（登録）されたＲＳＳフィードを取得する取得先リスト（ＲＳＳフィード提供元への接続情報のリスト）をＯＰＭＬフォーマットで出力する。そして、このＯＰＭＬフォーマットで出力した接続情報のリストをリスト取得要求者の携帯電話機へ送信する。
【００５２】
また、上記携帯電話機内に保存（登録）されたＲＳＳフィードを取得する取得先リスト（ＲＳＳフィード提供元への接続情報のリスト）をＯＰＭＬフォーマットでメモリーカード３２に出力して、このメモリーカード３２を介して、取得要求者の携帯電話機に提供してもよい。ＯＰＭＬフォーマットで接続情報のリストを取得要求者の携帯電話機に提供するのは、携帯電話機に限らず、パーソナルコンピュータなどであってもよい。この場合、ＯＰＭＬフォーマットで記述されたＲＳＳフィード提供元への接続情報リストを予めＨＤＤなどの外部記憶装置に記憶させておく。そして、必要に応じて、携帯電話機と非公衆通信を行って、外部記憶装置に記憶させておいたＯＰＭＬフォーマットで記述された接続情報リストを送信したり、メモリーカードに出力したりする。もちろん、コード画像に、ＯＰＭＬフォーマットで記述された接続情報リストのデータを含ませてもよい。
【００５３】
上記各接続情報は、ＯＰＭＬフォーマットのアウトライン要素にそれぞれ記載される。取得要求者の携帯電話機が、上述のＯＰＭＬフォーマットで記述されたデータを取得した場合、携帯電話機は、アウトライン要素に記述された部分をチェックして、識別子「ｒｄｆ」、「ｒｓｓ」等がある接続情報か否かを調べる。これにより、取得したＯＰＭＬフォーマットで記述されたデータが、ＲＳＳフィード提供元への接続情報リストのデータか否かを判別することができる。ＯＰＭＬフォーマットで記述されたデータが、ＲＳＳフィード提供元への接続情報リストの場合は、ＯＰＭＬフォーマットの各アウトライン要素に記載されている接続情報を抜き出して、記憶手段に保存する。これにより、ＯＰＭＬフォーマットで記述された接続情報のリストが、ＲＳＳフィードを取得する取得先のリストとして、登録される。
【００５４】
このように、ＲＳＳフィード提供元への接続情報リストを取得することで、一度に多くのＲＳＳフィードの取得情報を登録することができる。
【００５５】
なお、上記ＯＰＭＬフォーマット等の所定フォーマットで記述された接続情報リストは、ＲＳＳフィードを提供する情報提供者側が作成し携帯電話機の利用者に配布するように流通させてもいいし、携帯電話機に登録されている複数の接続情報を利用者が編集して作成し利用者間で流通させるようにしてもよい。情報提供者側が接続情報リストを作成して流通させる場合は、携帯電話機の利用者に対し、情報提供者側が指定したＲＳＳフィード提供元にアクセスさせて要約情報を取得させるようにすることができる。一方、利用者が接続情報リストを作成して流通させる場合は、例えば、利用者の趣味や仕事等に関連した特定のＲＳＳフィード提供元のみを集めた接続情報リストを、同様な趣味や仕事をもった他の利用者にメールやBluetooth（登録商標）等の非接触通信などで提供することができる。
【００５６】
また、上記携帯電話機で撮像した画像データ（コード画像）から得られた情報、携帯電話機の近くにある情報送信装置から受信した情報、メモリーカードから読み出した情報が、ＲＳＳフィード提供元への接続情報だけでなく、ＲＳＳフィード自体を含むものであってもよい。これにより、上記画像データ（コード画像）から得られた情報、上記情報送信装置から受信した情報、又は上記メモリーカードから読み出した情報に基づいて、ＲＳＳフィードの取得先を登録した後、その取得先にすぐに接続してＲＳＳフィードを取得しなくても、ＲＳＳフィードを閲覧することができる。
【００５７】
以上、本発明の好ましい実施形態を説明したが、本発明の範囲又は精神から逸脱することなく、特許請求の範囲に記載された技術的事項の範囲内において、開示した実施形態に種々の変更を加えることができる。
【００５８】
例えば、本発明は、携帯電話機に限定することなく、コンテンツの要約情報を取得するものであれば様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【図面の簡単な説明】
【００５９】
【図１】本発明の実施形態に係る通信システムの概略構成図。
【図２】ＷＥＢサーバのハードウェア構成のブロック図。
【図３】ＷＥＢサーバの機能ブロック図。
【図４】携帯電話機の外観図。
【図５】携帯電話機のハードウェア構成のブロック図。
【図６】コード画像からＲＳＳフィード取得情報の登録を行うときの携帯電話機の主要な機能を抽出して示した機能ブロック図。
【図７】コード画像からＲＳＳフィード取得情報の登録を行うときの制御フロー図。
【図８】本発明の他の実施形態における情報送信装置から受けた情報に基づいてＲＳＳフィード取得情報の登録を行う携帯電話機の主要な機能を抽出して示した機能ブロック図。
【図９】情報送信装置から受けた情報に基づいてＲＳＳフィード取得情報の登録を行うときの制御フロー図。
【図１０】本発明の更に他の実施形態におけるメモリーカードの情報からＲＳＳフィード取得情報の登録を行う携帯電話機の主要な機能を抽出して示した機能ブロック図。
【図１１】メモリーカードの情報からＲＳＳフィード取得情報の登録を行うときの制御フロー図。
【符号の説明】
【００６０】
１０    携帯電話機
１９    撮像デバイス
２０    携帯電話通信網
３０    インターネット
３２    メモリーカード
４１    ＷＥＢサーバ
１０７  外部接続用インターフェース装置
１０８  メモリーカードドライブ
１１０    通信手段
１１１    記憶手段
１１２    表示制御手段
１１３    表示手段
１１４    画像データ解析手段
１１５    撮像手段
１１６    外部接続手段
１１７    読取手段
【図１】
2007299323.tif 000003
【図２】
2007299323.tif 000004
【図３】
2007299323.tif 000005
【図４】
2007299323.tif 000006
【図５】
2007299323.tif 000007
【図６】
2007299323.tif 000008
【図７】
2007299323.tif 000009
【図８】
2007299323.tif 000010
【図９】
2007299323.tif 000011
【図１０】
2007299323.tif 000012
【図１１】
2007299323.tif 000013